(57)【要約】【課題】多数のサンプル用チェーンを基板パネル上に並べて陳列することができると共に、各チェーンの一端を自由端として、ユーザーがチェーンの使用状態や、ペンダントと組み合わせた際の使用状態を確認することができる携帯可能なチェーン陳列パネルに関する。【解決手段】この発明は、パネル本体を有する基板パネルと、該基板パネルに並列に並べられて陳列される複数のサンプル用チェーンと、前記基板パネルに設けられて、各サンプル用チェーンの基端を拘束する基端固定部と、前記各サンプル用チェーンの先端寄りの中途個所を個別に着脱可能に挟むスリット状の弾性受部を有し、前記サンプル用チェーンを略直線状に保持する自由端保持部とからなっていることを特徴とする。【選択図】図１
2005304939.tif 000002
【特許請求の範囲】
【請求項１】
パネル本体を有する基板パネルと、
該基板パネルに並列に並べられて陳列される複数のサンプル用チェーンと、
前記基板パネルに設けられて、各サンプル用チェーンの基端を拘束する基端固定部と、
前記各サンプル用チェーンの先端寄りの中途個所を個別に着脱可能に挟むスリット状の弾性受部を有し、前記サンプル用チェーンを略直線状に保持する自由端保持部とからなっていることを特徴とするチェーン陳列パネル。
【請求項２】
パネル本体の上下両端に、パネル本体を中心に厚み方向に前後に突出する上端スペーサ部および下端スペーサ部を設け、
複数の基板パネルを重ねた際に、前後に隣接するパネル本体間で、それぞれに取り付けられたサンプル用チェーンが干渉しない隙間を確保してなることを特徴とする請求項１に記載のチェーン陳列パネル。
【請求項３】
自由端保持部が、弾性ブロック片からなってパネル本体に固着されており、自由端保持部には、各基端固定部に対応してサンプル用チェーンを着脱可能に嵌め込むスリットがそれぞれ形成されていることを特徴とする請求項１または２に記載のチェーン陳列パネル。
【請求項４】
自由端保持部が、上記パネル本体の基端固定部から離間する側の左右方向の端部に固定されると共に、該自由端保持部の先端が上記パネル本体の端部より外側に突出しており、該突出部分側にスリットが形成されており、サンプル用チェーンの自由端側を前記スリットに掛止めて、パネル本体の裏面側に折り返してなることを特徴とする請求項３に記載のチェーン陳列パネル。
【請求項５】
厚み方向の一面が開放された収納ボックスに、複数の基板パネルを重ねて収納しうるようになっていることを特徴とする請求項２に記載のチェーン陳列パネル。
【請求項６】
パネル本体の表面にサンプル用チェーンを配置し、パネル本体の裏面に、自由端保持部に掛け止められてパネル本体裏面側に折り返されたサンプル用チェーンの自由端を着脱可能に拘束する自由端固定部を設けたことを特徴とする請求項３に記載のチェーン陳列パネル。
【請求項７】
基端固定部が、パネル本体に形成されて、サンプル用チェーンの基端に取り付けられた抜止部より小さい掛止孔からなっており、
該掛止孔を直接または間接に表示する識別表示と同一の識別表示を前記抜止部に表示し、サンプル用チェーンを前記基端固定部から外して分離した際に、該サンプル用チェーンの装着する掛止孔を判別しうるようにしたことを特徴とする請求項１に記載のチェーン陳列パネル。
【発明の詳細な説明】
【技術分野】
【０００１】
本発明は、複数のサンプル用チェーンを同じパネル上に陳列することができる携帯可能なチェーン陳列パネルに関するものである。
【背景技術】
【０００２】
従来、ネックレスなどのアクセサリー用のチェーンは、個別に陳列されているので、多数の種類のチェーンを同時に比較する場合は、カタログ写真を参考にしていた。
そこで、１枚のパネル上に異なる種類のチェーンを並べて固定しておけば、チェーンのデザインを写真より正確に比較することができるが、ユーザーが希望するペンダントトップなどのチャームと組み合わせた状態でのチェーンの使用状態を見ることはできなかった。
また、実公昭６３−３０２８７号には複数種類のチェーンを展示すると共に、引き出して切り売りすることができるショーケースの構造が開示されているが、チェーンが撓んだ状態や、チャームを取り付けた状態の姿を次々に見ることは困難であり、また、サンプルではなく現品を持ち運ぶ必要があり、大型化するので多数の種類のチェーンを展示することができない。
また、特開平１０−２１１０８４号では、ネックレスを着用に近い状態でシート板上に保持することができるが、１つのシート板には１本のチェーンしか陳列することができない。
【特許文献１】実公昭６３−３０２８７号
【特許文献２】特開平１０−２１１０８４号
【発明の開示】
【発明が解決しようとする課題】
【０００３】
この発明の解決しようとする問題点は、多数のサンプル用チェーンを基板パネル上に並べて陳列することができると共に、各チェーンの一端を自由端とすることで、ユーザーが選択したチェーンの使用状態や、チャームと組み合わせた際の使用時の姿、形を確認することができるようにした点にある。
この発明の別の課題は、複数のチェーン陳列パネルを収納ボックスに入れて携帯することができるようにした点にある。
【課題を解決するための手段】
【０００４】
上記課題を解決するために、請求項１の発明では、
パネル本体を有する基板パネルと、該基板パネルに並列に並べられて陳列される複数のサンプル用チェーンと、前記基板パネルに設けられて、各サンプル用チェーンの基端を拘束する基端固定部と、前記各サンプル用チェーンの先端寄りの中途個所を個別に着脱可能に嵌め込むスリット状の弾性受部を有し、前記サンプル用チェーンを略直線状に保持する自由端保持部とからなっていることを特徴とする。
また、請求項２の発明では、
前記パネル本体の上下両端に、パネル本体を中心に厚み方向に前後に突出する上端スペーサ部および下端スペーサ部を設け、複数の基板パネルを重ねた際に、前後に隣接するパネル本体間で、それぞれに取り付けられたサンプル用チェーンが干渉しない隙間を確保してなることを特徴とする。
更に、請求項３の発明では、
前記自由端保持部が、杆状の弾性ブロックからなってパネル本体に固着されており、自由端保持部には、各基端固定部に対応してサンプル用チェーンを着脱可能に嵌め込むスリットがそれぞれ形成されていることを特徴とする。
また、請求項４の発明では、
前記自由端保持部が、上記パネル本体の基端固定部から離間する側の左右方向の端部に固定されると共に、該自由端保持部の先端が上記パネル本体の端部より外側に突出しており、該突出部分側にスリットが形成されており、サンプル用チェーンの自由端側を前記スリットに掛止めて、パネル本体の裏面側に折り返してなることを特徴とする。
請求項５の発明では、
厚み方向の一面が開放された収納ボックスに、複数の基板パネルを重ねて収納しうるようになっていることを特徴とする。
また、請求項６の発明では、
前記パネル本体の表面にサンプル用チェーンを配置し、パネル本体の裏面に、自由端保持部に掛け止められてパネル本体裏面側に折り返されたサンプル用チェーンの自由端を着脱可能に拘束する自由端拘束部を設けたことを特徴とする。
更に、請求項７の発明では、
前記基端固定部が、パネル本体に形成されて、サンプル用チェーンの基端に取り付けられた抜止部より小さい掛止孔からなっており、該掛止孔を直接または間接に表示する識別表示と同一の識別表示を前記抜止部に表示し、サンプル用チェーンを前記基端固定部から外して分離した際に、該サンプル用チェーンの装着する掛止孔を判別しうるようにしたことを特徴とする。
【発明の効果】
【０００５】
基板パネルに多数のサンプル用チェーンを装着することができると共に、サンプル用チェーンは、一端がパネル本体の基端固定部に固定されており、他端が自由端保持部に着脱可能に保持されているので、自由端を外してチェーンを撓ませて、チェーンの使用状態や、チャームと組み合わせた際の使用時の姿、形を確認することができる。
また、自由端保持部は、サンプル用チェーンを弾性反発力で挟むので、ワンタッチで着脱を容易に行うことができる。
更に、基板パネルに上端スペーサ部および下端スペーサ部を設けることで、複数のチェーン陳列パネルを重ねて収納ボックスに入れても、チェーン相互が干渉したり衝合することがない。また自由端保持部にブロック状の弾性部材を用いることで収納ボックスの開口を塞ぎ、内部へゴミなどの侵入を防止することができ、携帯に便利である。
【発明を実施するための最良の形態】
【０００６】
基板パネルに並列に陳列したサンプル用チェーンを、基端を前記基板パネルに固定し、他端を自由端とし、基板パネルに設けた自由端保持部に着脱可能に保持して前記自由端を外して、撓ませたり、チャームと組み合わせて見ることができるようにした。
【実施例１】
【０００７】
図１から図３に示すチェーン陳列パネル１は、基板パネル２と、該基板パネル２に並列に並べられる複数のサンプル用チェーン１５とからなっている。
基板パネル２には、その上下両端に沿って上端スペーサ部４および下端スペーサ部５が固定されている。
上端スペーサ部４および下端スペーサ部５は、本実施例では、図３に明瞭なように、基板パネル２を中心に厚み方向に前後（表裏）に突出する枠からなっており、後述のサンプル用チェーン１５を基板パネル２の表側から裏側に折り返して取り付けた際に、複数の基板パネル２を隙間無く重ねても隣接する基板パネル２間で、それぞれに取り付けられたサンプル用チェーン１５が干渉したり衝合しない隙間を確保している（図４参照）。
【０００８】
この基板パネル２は、アクリルボードなどの矩形のパネルからなっており、表面には横一連にサンプル用チェーン１５の陳列エリアとなる陳列区画部１０が多数（図示例では１５）形成されている。
そして、各陳列区画部１０には、当該区画または、当該区画に陳列するサンプル用チェーン１５の種類を示す区画識別子１１が表示される。
図示例では「ＡＢ−１」などの型式番号を用いているが、「コンパクトチェーン２５」などの名称でもよい。
また、各陳列区画部１０を縦断して、それぞれのサンプル用チェーン１５の素材に対応するメートル当たりの重さを表示するチェーン属性表示部１２が表示されている。
【０００９】
図示例では、左欄１２ａがＫ１８のイエローゴールドでメートル当たりの重量、中央の欄１２ｂがＫ１８のホワイトゴールドでメートル当たりの重量、右欄１２ｃがＰｔ８５０でメートル当たりの重量の値が記載されている。
これにより、陳列区画部１０とチェーン属性表示部１２との交差する欄の情報（数値）を読み取ることで、サンプル用チェーン１５が指定の素材の時に、チェーンの長さに応じた重量が分かり、重量から金額を算定することができるようになっている。
上記実施例では、金とプラチナを例示したが、その他の貴金属であってもよいし、重量ではなく、金額を直接表示するようにしてもよく、その他、用途に応じたチェーンの属性の情報を表示することができるようになっている。
【００１０】
次ぎに、基板パネル２には、各サンプル用チェーン１５の基端を拘束する基端固定部６と、該基端固定部６から離間した位置でサンプル用チェーン１５の先端寄りの中途個所を個別に着脱可能に嵌め込む自由端保持部７とが形成されている。
基端固定部６は、図示例の場合、基板パネル２の左端寄りに上下に等間隔に並んだ掛止孔６ａを設けており、サンプル用チェーン１５の基端に固着した抜止部１６が抜け落ちないような大きさに設定されている。
そして、掛止孔６ａの裏側からサンプル用チェーン１５の自由端１７を通して基板パネル２の表側にサンプル用チェーン１５を引き出してサンプル用チェーン１５を取り付ける。
【００１１】
自由端保持部７は、各サンプル用チェーン１５の先端寄りの中途個所を個別に着脱可能に嵌め込むための弾性受部の一例としてのスリット８を有する弾性ブロック７’からなっており、前記各掛止孔６ａに対応するようにスリット８が形成されており、前記基端固定部６と協働して、サンプル用チェーン１５をやや弛んだ略直線状に保持する。
本実施例で自由端保持部７は、発泡ウレタンやＥＶＡなどの弾性ブロック７’を隙間無く多数（図示例では１６）を上下に接して基板パネル２に固着し、上下に隣接する弾性ブロック７’の間が、前記各掛止孔６ａに対応するスリット８として形成されている。
従って、サンプル用チェーン１５の自由端側をスリット８に通すと、弾性ブロックの反発力で、スリット８内のチェーン部分を挟圧して拘束することができる。
この場合、サンプル用チェーン１５の自由端１７の端部はスリット８から外側に突出するようになっているので、この突出部分を持って引っ張ることで、スリット８から外すことができる。
【００１２】
本実施例の場合、自由端保持部７は、前記基板パネル２の端部、図示例では裏面側に固定されると共に、該自由端保持部７の先端が上記基板パネル２の端部より外側に突出するように取付けられている。
従って、基端固定部６から延出するサンプル用チェーン１５の自由端１７側は、図２に示すように、前記スリット８に挟み弾性反発力で挟圧されながら、基板パネル２の裏面側に折り返している。
【００１３】
本実施例では、更に、サンプル用チェーン１５の自由端１７を覆って着脱可能に固定する自由端固定部９が形成されている。
この自由端固定部９は、一対の面ファスナーが用いられており、基板パネル２の裏面中途位置に、鉤部または受部の繊維が形成された一方の面ファスナー９ａが固着されており、前記折り返されたサンプル用チェーン１５の自由端１７を上記一方の面ファスナー９ａ上に置き、別体で受部または鉤部の繊維が形成された他方の面ファスナー９ｂを上記一方の面ファスナー９ａに押し付けて一体に接続して、前記自由端１７を覆うと共に固定するようになっている。
自由端固定部９は上記構成に代えて、個別にサンプル用チェーン１５の自由端を着脱可能に掛止める公知の係合構造を用いてもよい。
【００１４】
また、この実施例では、陳列区画部１０には区画識別子１１が設けられているが、サンプル用チェーン１５を前記基端固定部６から外して基板パネル２から分離した際に、該サンプル用チェーン１５を装着する陳列区画部１０、即ち、掛止孔６ａを判別しうるように、サンプル用チェーン１５の一部、例えば抜止部１６に区画識別子１１と同じ表示を設けることが好ましい。
ここで、抜止部１６は、例えば爪部を両端に有し、２つ折りしてチェーンにかしめて固着される締付具などからなっており、図５に示すように、この締付具に上記区画識別子１１を刻印したり、区画識別子１１を表示したシールやカードを貼り付けたり、紐で結んでおくことなどで対応することができる。
【００１５】
この基板パネル２は、サンプル用チェーン１５を装着した状態で、収納ボックス２０に複数を収納して携帯することができる。
収納ボックス２０は、図６に示すように、厚み方向の一面が開放されたボックス形状からなっており、複数のチェーン陳列パネル１を隙間無く重ねて収納する。
【００１６】
この際に、各チェーン陳列パネル１は、図４に示すように、上端スペーサ部４および下端スペーサ部５がスペーサとなって、前後に隣接する基板パネル２間に大きな隙間が確保されるので、各基板パネル２にそれぞれに取り付けられたサンプル用チェーン１５が相互に干渉したり、衝合したりすることがない。
【００１７】
また、自由端保持部７は厚みが厚く、上端スペーサ部４および下端スペーサ部５の後方側の突出長よりも大きく後方へ突出しているので、前方のチェーン陳列パネル１の自由端保持部７と後方のチェーン陳列パネル１の基板パネル２間の隙間は狭く、またはほとんど無くなるが、自由端保持部７は弾性ブロックからなっているので、サンプル用チェーン１５と自由端保持部７が当たっても、自由端保持部７が撓んでチェーンを傷つけることがない。
また、自由端保持部７が、外側となるように収納することで、収納ボックス２０の開放側を塞いで、ゴミなどの侵入を防ぐことができる。
【実施例２】
【００１８】
上記実施例では、サンプル用チェーン１５を基板パネル２の表面側から裏面側に折り返して収納する場合を例示したが、基板パネル２の表面側だけで陳列保持する構成としてもよい。
この場合、上端スペーサ部４および下端スペーサ部５は、基板パネル２の前方（表面）側へだけ突出する構成でもよい。
また、自由端保持部７は、基板パネル２の表面で基端固定部６から離れる側の端部寄り（図示例では右端寄り）に固着されており、自由端保持部７からサンプル用チェーン１５の自由端１７が突出している。
【００１９】
なお、本実施例では、自由端保持部７が自由端固定部９を兼用する。
これにより、自由端保持部７からはみ出たサンプル用チェーン１５の自由端１７を持って引っ張ることで、所望のサンプル用チェーン１５を撓ませたり、ペンダントを装着して、その姿や形を見ることができる。
また、この場合も、同様に基板パネル２を複数枚重ねて収納ボックス２０に収納することができる。
その他の構成は、前記実施例と同様であるので、その説明を省略する。
【００２０】
この発明では、基端固定部６は掛止孔６ａに抜止部１６を掛け止めて拘束しだけなので、サンプル用チェーン１５を引き抜いて見ることができるが、サンプル用チェーン１５の端部を基板パネル２に固定するものであってもよい。
また、基端固定部６の構造は上記実施例に限定されるものでない。
同様に、自由端保持部７も上記実施例に限定されず、簡単な操作で着脱可能な構成であればよい。
更に、自由端固定部９も面ファスナーに限定されないこと勿論である。
その他、要するにこの発明の要旨を変更しない範囲で種々設計変更しうること勿論である。
【図面の簡単な説明】
【００２１】
【図１】実施例１のチェーン陳列パネルの正面図である。
【図２】図１の背面図である。
【図３】図１の側面図である。
【図４】基板パネルを重ね合わせ収納ボックスに収納した状態の部分拡大図である。
【図５】抜止部に区画識別子を表示した一例を示す図である。
【図６】収納ボックスに収納した状態の斜視図である。
【図７】実施例２のチェーン陳列パネルの正面図である。
【符号の説明】
【００２２】
１    チェーン陳列パネル
２    基板パネル
３    パネル本体
４    上端スペーサ部
５    下端スペーサ部
６    基端固定部
６ａ  掛止孔
７    自由端保持部
７’  弾性ブロック
８    スリット
９    自由端固定部
１０    陳列区画部
１１    区画識別子
１２    チェーン属性表示部
１５    サンプル用チェーン
１６    抜止部
２０    収納ボックス
【図１】
2005304939.tif 000003
【図２】
2005304939.tif 000004
【図３】
2005304939.tif 000005
【図４】
2005304939.tif 000006
【図５】
2005304939.tif 000007
【図６】
2005304939.tif 000008
【図７】
2005304939.tif 000009